(57)【要約】【課題】  ローライズタイプのパンツの着用時に屈んでもショーツがアウター上端よりはみ出ることのないショーツの提供。【解決手段】  前身頃部２と後身頃部３とが股下部４を介して縫合されているショーツであって、後身頃部の略中央に縦方向に下縁３１まで延びる二列の袋部５を設け、袋部を貫通する二つの紐材６の一端６１が後身頃部と共に、下縁において股下部と縫合されており、紐材の他端６２が袋部の開口端部５１から挿出している。【選択図】      図２
0003114367.tif 000002
【実用新案登録請求の範囲】
【請求項１】
前身頃部と後身頃部とが股下部を介して縫合されているショーツにおいて、
後身頃部の略中央に縦方向に下縁まで延びる二列の袋部を設け、
前記袋部を貫通する二つの紐材の一端が前記後身頃部と共に、下縁において前記股下部と縫合されており、
前記紐材の他端が前記後身頃部の上縁に形成される前記袋部の開口端部から挿出していることを特徴とするショーツ。
【請求項２】
前身頃部と後身頃部とが股下部を介して縫合されているショーツにおいて、
後身頃部の略中央に縦方向に下縁まで延びる二列の袋部を設け、
前記袋部を貫通する二つの紐材の一端が前記後身頃部と共に、下縁において前記股下部と縫合されており、
前記紐材の他端が前記後身頃部の上縁より下方の位置にて前記袋部に設けられた挿通孔から挿出していることを特徴とするショーツ。
【考案の詳細な説明】
【技術分野】
【０００１】
本考案は、女性用ショーツに関して、特にアウターとしてローライズ・パンツ等を着用する場合に好適なショーツに関する。
【背景技術】
【０００２】
若い女性がファッションとして、股上の浅いローライズ・パンツを着用する場合に、通常の丈のショーツを着用していると、屈んだり座ったりした場合に、アウターがずり下がるためにショーツがアウターの背面上端からはみ出して見えてしまうという不都合があった。そこで、通常のショーツよりも股上の浅いローライズ・ショーツが提供されている。
【考案の開示】
【考案が解決しようとする課題】
【０００３】
しかしながら、かかるローライズ・ショーツは、単に股上の丈が、通常のショーツよりも短いものであり、ローライズ・ショーツの着用者が屈んだ場合には、臀部が膨出することでアウターがずり下がることから、ショーツがアウターの背面上端からはみ出してしまうという不都合がある。屈んだ場合にも背面のショーツのはみ出しを防ぐためには、ショーツ全体をずり下げて着用しなければならず着用感に難点があった。
【０００４】
本考案は、このような事情に鑑みてなされたものであり、ローライズタイプのパンツの着用時に屈んだりしてもショーツがアウターの背面上端からはみ出して見えることのない着用感の優れたショーツの提供を目的とする。
【課題を解決するための手段】
【０００５】
上記課題を解決するため、請求項１に記載のショーツは、前身頃部と後身頃部とが股下部を介して縫合されているショーツにおいて、後身頃部の略中央に縦方向に下縁まで延びる二列の袋部を設け、前記袋部を貫通する二つの紐材の一端が前記後身頃部と共に、下縁において前記股下部と縫合されており、前記紐材の他端が前記後身頃部の上縁に形成される前記袋部の開口端部から挿出していることを特徴とする。
【０００６】
さらに、上記課題を解決するため、請求項２に記載のショーツは、前身頃部と後身頃部とが股下部を介して縫合されているショーツにおいて、後身頃部の略中央に縦方向に下縁まで延びる二列の袋部を設け、前記袋部を貫通する二つの紐材の一端が前記後身頃部と共に、下縁において前記股下部と縫合されており、前記紐材の他端が前記後身頃部の上縁より下方の位置にて前記袋部に設けられた挿通孔から挿出していることを特徴とする。
【考案の効果】
【０００７】
本考案のショーツによれば、後身頃部に設けられた袋部から挿出している紐材を軸として軸方向に後身頃部の丈のみを絞り、後身頃部の上縁のシルエットを略Ｖ字形状にすることが可能となるので、ショーツのはみ出しを防止するためにショーツ全体をずり下げて着用する必要がなく、着用感に優れつつ、ショーツのアウター背面上端からのはみ出しを防止することが可能となる。
【０００８】
さらに、着用者が適宜に後身頃部の上縁のシルエットのＶ字形状の角度を丈の絞り具合の調節によって変更可能であるので、着用者の体型や着用のアウターの特性に相違があってもショーツがアウターの背面上端からはみ出して見えることのないものである。
【考案を実施するための最良の形態】
【０００９】
以下、本考案のショーツについて図面を参照しながら説明するが、本考案はこれらの実施例に記載されたもののみに限定されるものではない。
図１は、本考案の一実施例のショーツの正面図であり、図２は、本考案の一実施例のショーツの後身頃部の丈を絞る前の状態を示す背面図である。図３は、本考案のショーツの背面のＡ−Ａでの断面図である。図４は、本考案の一実施例のショーツの後身頃部の丈を絞った後の状態を示す背面図である。図５は、本考案の他の実施例のショーツの後身頃部の丈を絞った後の状態を示す背面図である。
【００１０】
図１に示されるように、ショーツ１は、前身頃部２と後身頃部３とを股下部４を介して縫合して形成している。すなわち、前身頃部２と後身頃部３とはそれぞれの下縁において股下部４と縫合されている。
【００１１】
前身頃部２と後身頃部３と股下部４は、本実施例においては、伸縮性のある生地が用いられているが、特に限定されるものではない。伸縮性生地としては、ポリウレタン繊維と他の繊維（ナイロン、ポリエステル、レーヨン、綿など）が好適である。
【００１２】
図２に示されるように、本実施例において、後身頃部３は、同形の左後身頃部３ａと右後身頃部３ｂとを側縁部に沿って縫合して形成されている。なお、本実施例と異なり、後身頃部３を左右の片に分けずに一枚の生地で構成してもよいが、後述の通り、袋部５を設けた後の縫い目を目立たなくするために、左右の片から構成するのが好適である。
【００１３】
袋部５は、後身頃部３の略中央に、縦方向に下縁３１まで延びて二列設けられている。本実施例においては、図３に示されるように、袋部５は、側縁部を重ね合わせ端縁から一定間隔を設けて縦方向に縫合された左後身頃部３ａと右後身頃部３ｂの各々側縁部を折り返し縦方向に延びる袋状にした後、端部５０を縦方向に縫合することで形成されている。このようにして、二列の袋部５が後身頃部３の略中央部に縦方向に下縁３１まで延びて設けられる。
【００１４】
このように形成された二列の袋部５に、紐材６がそれぞれ挿入され貫通され、紐材６の一端６１，６１は後身頃部３と共に、下縁３１において股下部４と縫合されている。
紐材の材質及び形状は特に限定されるものではないが、本実施例では、非伸縮性のものであって、形状は平板状のものとしている。
紐材の長さは、一端６１が袋部５を貫通して下縁３１において、股下部４と縫合されており、他端側においては、後述の通り、締結されることになるので、締結可能な程度の長さが後身頃部３の上縁３２から延出していることが好ましい。
また、本実施例では、二本の紐材６を各々の袋部５に別個に貫通させる構成としたが、一本の紐材６を各々の袋部５，５に連続して貫通させる構成としてもよい。
【００１５】
紐材６の他端６２は、本実施例では、後身頃部３の上縁３２に形成される袋部５の開口端部５１より挿出している構成としたが、図５に示すように、他の実施例として、後身頃部の上縁３２より下方の位置にて袋部５に設けられた挿通孔５２より紐材６が挿出するという構成としてもよい。
【００１６】
次に、この実施例のショーツ１の使用について説明する。
図４に示すように、本考案にかかるショーツ１は着用後、紐材６を軸として後身頃部３の丈を軸方向に絞り、後身頃部３の上縁３２が略Ｖ字のシルエットを形成するようにする。後身頃部の丈は、軸方向上下に調節可能であるので、後身頃部３の上縁３２が形成するＶ字の角度を任意に変更することができる。すなわち、軸方向に下方により絞れば、Ｖ字の角度は鋭角になるのに対し、上方に緩めれば、鈍角になり、角度を任意に変更することができる。
よって、着用者の体型や着用のアウターの特性に相違があっても、着用者が適宜にＶ字の角度を変更することにより、ショーツのアウター背面上端からのはみ出しを防止することができる。
【００１７】
そして、Ｖ字のシルエットを任意の角度に決定した後、紐材６を例えば、蝶結びなどして締結する。これにより、後身頃部３の丈がそれ以後上下に移動することなく、決定したＶ字のシルエットを維持しながら着用することが可能となる。
着用後にＶ字のシルエットを変更したい場合には、紐材６の締結状態を解き、後身頃部３の丈を上下に移動することで容易に変更可能である。
【００１８】
紐材６の結び目６０は、図４に示されるように、後身頃部の上縁３２に形成される袋部５の開口端部５１，５１付近において配置される。図５に示される他の実施例のように、二つ挿通孔５２，５２を、上縁３２から下方の位置にて各々袋部５，５の表側に設けた場合には、該挿通孔５２，５２より紐材６の他端６２，６２を挿出させることも可能である。
よって、この場合には、Ｖ字シルエット決定後の紐材の結び目６０は、挿通孔５２，５２付近に位置するので、後身頃上縁３２に形成される袋部開口端部５１，５１に紐材６の結び目６０が位置するのと比較して、下方位置に配される。すなわち、図５に示されるように、紐材６の結び目６０が後身頃部３の上縁３２からやや下方に位置することになるので、紐材６の結び目が目立つことなく、すっきりとしたものになる。
【００１９】
このように、本考案に係るショーツ１によれば、紐材６によって縦方向に後身頃部３の丈を任意に絞ることができ、それによって、前身頃部２が、ずり下がることはないものである。すなわち、後身頃部３の丈の調節によって、前身頃部２の着用状態に影響を与えないものであるので、着用感に優れたものであり、尚且つ、確実にショーツのアウター背面上端からのはみ出しを防止することが可能となる。
【図面の簡単な説明】
【００２０】
【図１】本考案の一実施例のショーツの正面図である。
【図２】本考案の一実施例のショーツの後身頃部の丈を絞る前の状態を示す背面図である。
【図３】本考案のショーツの背面のＡ−Ａでの断面図である。
【図４】本考案の一実施例のショーツの後身頃部の丈を絞った後の状態を示す背面図である。
【図５】本考案の他の実施例のショーツの後身頃部の丈を絞った後の状態を示す背面図である。
【符号の説明】
【００２１】
１    ショーツ
２    前身頃部
３    後身頃部
３ａ  左後身頃部
３ｂ  右後身頃部
４    股下部
５    袋部
６    紐材
３１  下縁
３２  上縁
５０  端部
５１  開口端部
５２  挿通孔
６０  結び目
６１  一端
６２  他端
【図１】
0003114367.tif 000003
【図２】
0003114367.tif 000004
【図３】
0003114367.tif 000005
【図４】
0003114367.tif 000006
【図５】
0003114367.tif 000007